(57)【特許請求の範囲】
【請求項１】
被写体を撮像することにより被写体像を表す画像データを出力する電子カメラと着脱自在であり、
上記電子カメラから出力される画像データを入力する入力手段、上記入力手段から入力された画像データを記憶する画像データ記憶手段、上記画像データ記憶手段によって記憶されている画像データによって表される被写体像を表示する表示装置、および上記画像データ記憶手段に記憶されている画像データを出力する出力手段を備えた携帯型画像表示装置において、
識別データがあらかじめ記憶されている識別データ記憶手段、
与えられる識別データが上記識別データ記憶手段に記憶されている識別データと不一致であるかどうかを判定する識別データ判定手段、および
上記識別データ判定手段により、不一致であると判定されたことに応じて上記画像データ記憶手段に記憶されている画像データを消去する画像データ消去手段、
を備えた携帯型画像表示装置。
【請求項２】
被写体を撮像することにより被写体像を表す画像データを出力する電子カメラと着脱自在であり、
上記電子カメラから出力される画像データを入力する入力手段、上記入力手段から入力された画像データを記憶する画像データ記憶手段、上記画像データ記憶手段によって記憶されている画像データによって表される被写体像を表示する表示装置、および上記画像データ記憶手段に記憶されている画像データを出力する出力手段を備えた携帯型画像表示装置において、
上記画像データ記憶手段への画像データの記憶時から時間の計測を開始する計時手段、
上記計時手段により計測される時間が一定時間を経過したかどうかを判定する判定手段、および
上記判定手段により上記一定時間経過したと判定されたことにより上記画像データ記憶手段に記憶された画像データを消去する画像データ消去手段、
を備えた携帯型画像表示装置。
【請求項３】
被写体を撮像することにより被写体像を表す画像データを出力する電子カメラと着脱自在であり、
上記電子カメラから出力される画像データを入力する入力手段、上記入力手段から入力された画像データを記憶する画像データ記憶手段、上記画像データ記憶手段によって記憶されている画像データによって表される被写体像を表示する表示装置、および上記画像データ記憶手段に記憶されている画像データを出力する出力手段を備えた携帯型画像表示装置において、
識別データをあらかじめ記憶しておき、
与えられる識別データがあらかじめ記憶されている識別データと不一致であるかどうかを判定し、
不一致であると判定されたことに応じて上記画像データ記憶手段に記憶されている画像データを消去する、
携帯型画像表示装置の動作制御方法。
【請求項４】
被写体を撮像することにより被写体像を表す画像データを出力する電子カメラと着脱自在であり、
上記電子カメラから出力される画像データを入力する入力手段、上記入力手段から入力された画像データを記憶する画像データ記憶手段、上記画像データ記憶手段によって記憶されている画像データによって表される被写体像を表示する表示装置、および上記画像データ記憶手段に記憶されている画像データを出力する出力手段を備えた携帯型画像表示装置において、
上記画像データ記憶手段への画像データの記憶時から時間の計測を開始し、
計測される時間が一定時間を経過したかどうかを判定し、
上記一定時間経過したと判定されたことにより上記画像データ記憶手段に記憶された画像データを消去する、
携帯型画像表示装置の動作制御方法。
【発明の詳細な説明】
【０００１】
【技術分野】
この発明は、被写体を撮像することにより被写体像を表す画像データを出力する電子カメラと着脱自在であり、電子カメラから出力される画像データを入力する入力手段、入力手段から入力された画像データを記憶する画像データ記憶手段、上記画像データ記憶手段によって記憶されている画像データによって表される被写体像を表示する表示装置、および画像データ記憶手段に記憶されている画像データを出力する出力手段を備えた携帯型画像表示装置およびその動作制御方法に関する。
【０００２】
【発明の背景】
電子スチル・カメラによって被写体が撮像され、撮像によって得られた画像データは、メモリ・カードに記録される。画像データは、メモリ・カードから読み出され、表示装置に与えられることにより画像データによって表される画像が表示される。表示装置を備えたメモリ・カードにおいては、メモリ・カードに備えられている表示装置に被写体像を表示することもできる。また、メモリ・カードから読み出された画像データをプリンタに与え、画像データによって表される被写体像を印刷することもできる。
【０００３】
アミューズメント・パーク、観光地などにおいて撮影ポイントを定め、アミューズメント・パーク、観光地の係員が来客者、観光者などを撮影することが考えられている。表示装置を備えたメモリ・カードに、電子カメラを用いて撮像することによって得られた画像データを記録する。ユーザは、メモリ・カードに記録された画像データによって表される被写体像をメモリ・カードに備えられている表示装置に表示し、被写体像を確認する。確認すると、メモリ・カードに記録されている画像データによって表される画像の中から印刷を望む所望の画像を選ぶ。
【０００４】
メモリ・カードを係員に渡すことにより、メモリ・カードに記録されている画像データによって表される画像のうち、ユーザによって選ばれた所望の画像が係員によって印刷される。メモリ・カードは、ユーザから回収される。
【０００５】
しかしながら、ユーザが係員にメモリ・カードを返さずに持ち帰ってしまうこともある。このように、ユーザによってメモリ・カードが持ち帰られると、ユーザによってメモリ・カードに記録されている画像データが読み出され、画像データによって表される画像がユーザにより自由に印刷されてしまう。
【０００６】
【発明の開示】
この発明は、メモリ・カード（携帯型画像表示装置）に記録されている画像データによって表される画像をユーザが自由に印刷できないようにすることを目的とする。
【０００７】
第１の発明は、被写体を撮像することにより被写体像を表す画像データを出力する電子カメラと着脱自在であり、上記電子カメラから出力される画像データを入力する入力手段、上記入力手段から入力された画像データを記憶する画像データ記憶手段、上記画像データ記憶手段によって記憶されている画像データによって表される被写体像を表示する表示装置、および上記画像データ記憶手段に記憶されている画像データを出力する出力手段を備えた携帯型画像表示装置において、識別データがあらかじめ記憶されている識別データ記憶手段、与えられる識別データが上記識別データ記憶手段に記憶されている識別データと不一致であるかどうかを判定する識別データ判定手段、および上記識別データ判定手段により、不一致であると判定されたことに応じて上記画像データ記憶手段に記憶されている画像データを消去する画像データ消去手段を備えていることを特徴とする。
【０００８】
第１の発明は、上記携帯型画像表示装置に適した動作方法も提供している。すなわち、この方法は、被写体を撮像することにより被写体像を表す画像データを出力する電子カメラと着脱自在であり、上記電子カメラから出力される画像データを入力する入力手段、上記入力手段から入力された画像データを記憶する画像データ記憶手段、上記画像データ記憶手段によって記憶されている画像データによって表される被写体像を表示する表示装置、および上記画像データ記憶手段に記憶されている画像データを出力する出力手段を備えた携帯型画像表示装置において、識別データをあらかじめ記憶しておき、与えられる識別データがあらかじめ記憶されている識別データと不一致であるかどうかを判定し、不一致であると判定されたことに応じて上記画像データ記憶手段に記憶されている画像データを消去するものである。
【０００９】
第１の発明によると、携帯型画像表示装置には識別データが記憶されている。携帯型画像表示装置に記録されている画像データによって表される画像を印刷するときには、携帯型画像表示装置とプリンタが接続される。プリンタから携帯型画像表示装置に識別データが送信され、携帯型画像表示装置に記憶されている識別データと一致するか不一致であるかが判断される。不一致である場合には、携帯型画像表示装置の画像データ記憶手段に記憶されている画像データが消去される。
【００１０】
第１の発明によると、携帯型画像表示装置において与えられる識別データとあらかじめ記憶されている識別データとが一致するかどうかが判断される。不一致の場合には、画像データが消去されるので、画像を印刷できる正当な権利者（アミューズメント・パーク，観光地の係員）のプリンタを用いてのみ携帯型画像表示装置に記憶されている画像データによって表される画像を印刷することができるようになる。ユーザが携帯型画像表示装置を持ち帰り、かってに印刷することを未然に防止できる。
【００１１】
第２の発明は、被写体を撮像することにより被写体像を表す画像データを出力する電子カメラと着脱自在であり、上記電子カメラから出力される画像データを入力する入力手段、上記入力手段から入力された画像データを記憶する画像データ記憶手段、上記画像データ記憶手段によって記憶されている画像データによって表される被写体像を表示する表示装置、および上記画像データ記憶手段に記憶されている画像データを出力する出力手段を備えた携帯型画像表示装置において、上記画像データ記憶手段への画像データの記憶時から時間の計測を開始する計時手段、上記計時手段により計測される時間が一定時間を経過したかどうかを判定する判定手段、および上記判定手段により上記一定時間経過したと判定されたことにより上記画像データ記憶手段に記憶された画像データを消去する画像データ消去手段を備えていることを特徴とする。
【００１２】
第２の発明は、上記携帯型画像表示装置に適した動作制御方法も提供している。すなわち、被写体を撮像することにより被写体像を表す画像データを出力する電子カメラと着脱自在であり、  上記電子カメラから出力される画像データを入力する入力手段、上記入力手段から入力された画像データを記憶する画像データ記憶手段、上記画像データ記憶手段によって記憶されている画像データによって表される被写体像を表示する表示装置、および上記画像データ記憶手段に記憶されている画像データを出力する出力手段を備えた携帯型画像表示装置において、上記画像データ記憶手段への画像データの記憶時から時間の計測を開始し、計測される時間が一定時間を経過したかどうかを判定し、上記一定時間経過したと判定されたことにより上記画像データ記憶手段に記憶された画像データを消去するものである。
【００１３】
第２の発明によると、画像データが上記画像データ記憶手段に記憶されると、上記計測手段による時間の計測が開始する。上記計測手段により一定時間を計測したと判断されると、上記画像データ記憶手段に記憶されている画像データが消去される。
【００１４】
携帯型画像表示装置に記憶された画像データは一定時間後に消去されるので、ユーザが携帯型画像表示装置を持ち帰り、携帯型画像表示装置に記憶されている画像データによって表される画像を勝手に印刷することを未然に防止できる。
【００１５】
【実施例の説明】
図１は、この実施例による携帯型画像表示装置10の外観を示している。
【００１６】
携帯型画像表示装置10は、電子スチル・カメラに着脱自在に装着可能である。携帯型画像表示装置10の上辺には、電子スチル・カメラと電気的に接続するためのインターフェイス11が形成されている。
【００１７】
携帯型画像表示装置10の正面には、液晶表示装置12が設けられている。被写体を撮影することにより被写体像を表す画像データが電子スチル・カメラから出力され、携帯型画像表示装置10に入力する。入力された画像データは、携帯型画像表示装置10に内蔵される記憶回路に一時的に記憶され、この記憶回路から読み出されることにより液晶表示装置12に表示される。
【００１８】
携帯型画像表示装置10には、駒戻しボタン13および駒送りボタン14が設けられている。駒送りボタン13が押されることにより、液晶表示装置12に表示される画像が一駒戻される。駒戻しボタン14が押されることにより、液晶表示装置12に表示される画像が一駒送られる。
【００１９】
携帯型画像表示装置10には、印刷決定ボタン15および印刷枚数ボタン16ならびに印刷枚数表示装置17が設けられている。印刷枚数ボタン16が押されることにより、液晶表示装置12に表示されている画像の印刷枚数が携帯型画像表示装置10に入力される。入力された印刷枚数が印刷枚数表示装置17に表示される。印刷枚数決定ボタン15が押されることにより印刷枚数が決定する。
【００２０】
図２は、携帯型画像表示装置10の電気的構成を示すブロック図である。
【００２１】
携帯型画像表示装置10の全体の動作は、制御回路20によって統括される。また、携帯型画像表示装置10は、あらかじめ定められたプリンタと接続できる。携帯型画像表示装置10と接続されるプリンタには、あらかじめ登録機器番号が記憶されている。携帯型画像表示装置10にプリンタが接続されると、そのプリンタに記憶されている登録機器番号が読み出される。
【００２２】
携帯型画像表示装置10にも登録機器番号が記憶されており（登録機器番号記憶回路25）、プリンタから読み出された登録機器番号と、携帯型画像表示装置10に記憶されている登録機器番号とが一致すると、携帯型画像表示装置10に記憶されている画像データがプリンタに出力され、印刷される。プリンタから読み出された登録機器番号と、携帯型画像表示装置10に記憶されている登録機器番号とが不一致であると、携帯型画像表示装置10に記憶されている画像データは、消去される。
【００２３】
携帯型画像表示装置10には、時間を計測するためのタイマ24も設けられている。タイマ24によって計測された時間を表すデータは制御回路20に入力する。また、印刷枚数表示装置17も制御装置20によって制御される。さらに、印刷枚数を駒番号に対応して記憶するためのメモリ26も設けられている。
【００２４】
上述のように携帯型画像表示装置10と電子スチル・カメラ１とがインターフェイス11によって電気的に接続される。被写体を撮影することによって得られた画像データは、インターフェイス11を介して、携帯型画像表示装置10に入力する。画像データは、画像データ記憶回路21に入力し、一時的に記憶される。画像データ記憶回路21は、複数駒分の画像を表す画像データを記憶することができる。もちろん、一駒分の画像データを記憶できるものであってもよい。画像データ記憶回路21が一駒分の画像データを記憶できるものの場合には、撮影ごとに電子スチル・カメラから取り外され別の携帯型画像表示装置10が電子スチル・カメラに装着されることとなろう。
【００２５】
駒戻しボタン13、駒送りボタン14、印刷決定ボタン15および印刷枚数ボタン16（操作回路18）からの押し下げを表す信号は、制御回路20に入力する。
【００２６】
携帯型画像表示装置10には、液晶駆動回路22が設けられており、この液晶駆動回路22によって液晶表示装置12が駆動される。液晶表示装置12よる画像表示のためにバックライト回路23が設けられている。
【００２７】
図３は、アミューズメント・パークの一例を示し、図４は、携帯型画像表示装置の使用例を示している。
【００２８】
アミューズメント・パークには、様々な撮影ポイント（Ｘ印によって示す）がある。これらの撮影ポイントにカメラマンがいる。これらの撮影ポイントにおいてユーザの希望に応じて、カメラマンによってユーザが電子スチル・カメラを用いて撮影される。撮影ににより携帯型画像表示装置10に、被写体像を表す画像データ記憶される。
【００２９】
ユーザは、携帯型画像表示装置10の液晶表示装置12に撮影によって得られた画像データによって表される画像を表示し、撮影内容を確認する。確認の結果印刷する画像があると、印刷枚数ボタン16および印刷決定ボタン15が押され、印刷枚数が入力される。入力された印刷枚数は、駒番号に対応してメモリ26に記憶される。
【００３０】
このようにアミューズメント・パークの各撮影ポイントにおいてカメラマンによる撮影が行われ、携帯型画像表示装置10に画像データが記憶される。アミューズメント・パークの出口には、プリント・ステーションが設けられている。このプリント・ステーションの係員に、携帯型画像表示装置10を渡す。プリント・ステーションの係員は、携帯型画像表示装置10をプリンタに装着し、携帯型画像表示装置10に記憶されている画像データによって表される画像を指定された枚数分、印刷する。ユーザは、印刷代金をプリント・ステーションの係員に支払うこととなる。
【００３１】
図５は、携帯型画像表示装置10と接続されるプリンタの電気的構成を示すブロック図である。
【００３２】
プリンタ30には、メモリ・カード・リーダ31が設けられている。このメモリ・カード・リーダ31によって携帯型画像表示装置10に記憶されている画像データが読み出される。メモリ・カード・リーダ31は、SCSIドライバ32によって制御される。
【００３３】
プリンタには、EEPROM37が設けられている。このEEPROM37にあらかじめ定められた登録機器番号を表すデータが格納されている。EEPROM37は、データ・コントロールＭＰＵ36によって，格納されているデータの読み出しが制御される。プリンタのプログラムが格納されているプログラムＲＯＭ38が設けられており、このＲＯＭ38に格納されているプログラムにもとづいてプリンタの動作が実行される。
【００３４】
３ＤＲＯＭ38には、色補正のためのデータがＬＵＴ（Look Up Table）の形態で格納されている。この３ＤＲＯＭによつて画像データが色補正されてプリントされる。ＳＲＡＭ41は、ワーク・エリアとして使用される。メモリ・カード・リーダ31から入力した画像データは、メモリ・コントローラ34の制御のもとにＤＲＡＭ33に一時記憶される。
【００３５】
プリンタ30にはフロント・パネル43が設けられている。このフロント・パネル43から与えられた操作制御信号は、フロント・パネル・インターフェイス35を介してメモリ・コントローラ34またはデータ・コントロールＭＰＵ36に入力する。入力した操作制御信号に応じてＤＲＡＭ33に格納された画像データが読み出され、３ＤＲＡＭ34において色補正が行われる。色補正された画像データがプリント・インターフェイス40を介してプリント・エンジン42に入力する。プリント・エンジン42により形態型画像表示装置10に記憶されている画像データによって表される画像がプリントされる。
【００３６】
図６は、携帯型画像表示装置10に記憶されている画像データによって表される画像をプリントするときのフローチャートを示している。
【００３７】
カメラマンによって被写体が撮影され、被写体像を表わす画像データが携帯型画像表示装置10に記録されるごとに（ステップ51）、タイマ24がリセットされ、かつ時間の計測が開始する（ステップ52）。
【００３８】
タイマ17によってあらかじめ定められた所定時間（この時間は，アミューズメント・パークの入場から退場までの平均的な時間によって定められる。たとえば，５時間，１０時間など）を経過する前に携帯型画像表示装置10がプリンタに接続されたかどうかが判断される（ステップ53）。携帯型画像表示装置10がプリンタに接続されると（ステップ53でＹＥＳ）、プリンタに記憶されている登録機器番号が読み出される（ステップ54）。プリンタにあらかじめ記憶されている登録機器番号と携帯型画像表示装置10に記憶されている登録機器番号が一致するかどうかが確認される（ステップ55）。
【００３９】
両方の登録機器番号が一致すると（ステップ55でＹＥＳ）、携帯型画像表示装置10に記憶されている画像データによって表される画像をプリントできる正当なプリンタであること、すなわちプリント・ステーションに配置されているプリンタであることが認識される。携帯型画像表示装置10の画像データ記憶回路21に記憶されている画像データが読み出され、プリンタに与えられる（ステップ56）。ユーザによって指定された枚数の画像がプリンタによって印刷される。
【００４０】
プリンタに記憶されている登録機器番号と携帯型画像表示装置10に記憶されている登録機器番号とが不一致であると（ステップ55でＮＯ）、携帯型画像表示装置10が装着されたプリンタは、正当なプリンタではない、すなわちアミューズメント・パークのプリント・ステーションに配置されているプリンタではなく例えば、ユーザが、携帯型画像表示装置10を持ち帰り、ユーザ自身のプリンタに装着されたと考えられる。このため携帯型画像表示装置10の画像データ記憶回路17に記憶されている画像データが消去される。ユーザが携帯型画像表示装置10を勝手に持ち帰り、自分自身でプリントすることを未然に防止できる。
【００４１】
また、タイマ17が時間の計測を開始し、所定時間が経過するとタイマ17が停止する（ステップ58）。その後、携帯型画像表示装置10に記憶されている画像データが消去される（ステップ59）。所定時間を経過すると、ユーザは、アミューズメント・パークから自宅にすでに帰ってしまったと考えられるからである。これにより、携帯型画像表示装置10に記憶されている画像データによって表される画像がユーザによって自宅でプリントされることを未然に防止できる。
【図面の簡単な説明】
【図１】携帯型画像表示装置の外観を示している。
【図２】携帯型画像表示装置の電気的構成を示すブロック図である。
【図３】アミューズメント・パークを示している。
【図４】携帯型画像表示装置の使用例を示している。
【図５】プリンタの電気的構成を示すブロック図である。
【図６】携帯型画像表示装置の処理手順を示すフローチャートである。
【符号の説明】
１  電子スチル・カメラ
10  携帯型画像表示装置
12  液晶表示装置
20  制御回路
21  画像データ記憶回路
25  登録機器番号記憶回路
30  プリンタ
【図１】
0003901857.tif 000002
【図２】
0003901857.tif 000003
【図３】
0003901857.tif 000004
【図４】
0003901857.tif 000005
【図５】
0003901857.tif 000006
【図６】
0003901857.tif 000007